(57)【要約】【課題】モバイルメッセンジャープラットフォームにおける収益分配型広告システム及びその方法を開示する。【解決手段】広告システムは、ユーザからモバイルメッセンジャーを介した広告表示意志の選択がなされる広告設定インターフェース部と、前記ユーザの広告表示意志によって前記モバイルメッセンジャー上に広告を表示する広告表示制御部と、前記モバイルメッセンジャーを介して表示された広告の収益を前記ユーザに配分する広告収益配分部とを含む。【選択図】図４
2014035771.tif 000002
【特許請求の範囲】
【請求項１】
ユーザからモバイルメッセンジャーを介した広告表示意志の選択がなされる広告設定インターフェース部と、
前記ユーザの広告表示意志によって前記モバイルメッセンジャー上に広告を表示する広告表示制御部と、
前記モバイルメッセンジャーを介して表示された広告の収益を前記ユーザに配分する広告収益配分部と、
を含み、
前記広告設定インターフェース部は、前記ユーザから前記広告を表示する前記モバイルメッセンジャー上の少なくとも１つの広告領域が選択されることを特徴とする
広告システム。
【請求項２】
前記広告設定インターフェース部は、
前記ユーザから前記広告を表示する広告領域で前記モバイルメッセンジャー上の友人リスト画面、対話リスト画面、友人追加画面、環境設定画面、対話ウィンドウ画面のうち少なくとも１つが選択されることを特徴とする、請求項１に記載の広告システム。
【請求項３】
前記モバイルメッセンジャーを使用するユーザから前記広告表示意志を収集して、前記収集された広告表示意志に係る全体の広告在庫を算出した後、前記広告別に表示対象の広告及び表示頻度を決定する広告表示管理部をさらに含む、請求項１に記載の広告システム。
【請求項４】
前記広告表示管理部は、
前記広告に設定された広告実施費用を基準として前記表示対象の広告及び表示頻度を決定することを特徴とする、請求項３に記載の広告システム。
【請求項５】
前記広告表示管理部は、
前記モバイルメッセンジャー上に表示された広告のうち前記ユーザが選択した特定広告に対して前記ユーザが少なくとも１人の友人と共有するように設定した共有設定値によって前記表示対象の広告を決定することを特徴とする、請求項３に記載の広告システム。
【請求項６】
前記広告表示制御部は、
前記表示対象の広告及び表示頻度によって前記広告を前記モバイルメッセンジャー上に表示することを特徴とする、請求項３に記載の広告システム。
【請求項７】
前記広告表示制御部は、
前記モバイルメッセンジャー上に表示された広告のうち前記ユーザが選択した特定広告を、少なくとも１人の友人が参加する対話ウィンドウに表示することを特徴とする、請求項１に記載の広告システム。
【請求項８】
前記広告表示制御部は、
前記モバイルメッセンジャー上に表示された広告のうちの特定広告が選択されると、前記特定広告のランディングページを提供し、前記特定広告を少なくとも１人の友人が参加する対話ウィンドウに表示することを特徴とする、請求項１に記載の広告システム。
【請求項９】
前記広告設定インターフェース部は、
前記特定広告に対して前記モバイルメッセンジャー上に登録された友人リストから前記少なくとも１人の友人が選択されることを特徴とする、請求項７に記載の広告システム。
【請求項１０】
前記ユーザ別に前記モバイルメッセンジャー上に表示された広告の現況及び前記広告から発生した収益の現況を管理するユーザ広告管理部をさらに含む、請求項１に記載の広告システム。
【請求項１１】
前記ユーザ広告管理部は、
前記広告の現況及び収益の現況に対する照会機能及び前記広告表示意志に対する変更機能を、前記モバイルメッセンジャー上でロボット（ｂｏｔ）形式で提供することを特徴とする、請求項１０に記載の広告システム。
【請求項１２】
ユーザからモバイルメッセンジャーを介した広告表示意志の選択と前記モバイルメッセンジャー上の少なくとも１つの広告領域の選択とを受信し、  前記ユーザの広告表示意志によって前記モバイルメッセンジャー上に広告を表示し、
前記モバイルメッセンジャーを介して表示された広告の収益を前記ユーザに配分する、
ことを含む広告方法。
【請求項１３】
前記広告表示意志の選択がなされることは、
前記ユーザから前記広告を表示する広告領域で前記モバイルメッセンジャー上の友人リスト画面、対話リスト画面、友人追加画面、環境設定画面、対話ウィンドウ画面のうち少なくとも１つが選択されることを特徴とする、請求項１２に記載の広告方法。
【請求項１４】
前記モバイルメッセンジャーを使用するユーザから前記広告表示意志を収集して前記収集された広告表示意志に係る全体の広告在庫を算出した後、前記広告別に前記広告に設定された広告実施費用を基準として表示対象の広告及び表示頻度を決定することをさらに含み、
前記モバイルメッセンジャー上に広告を表示することは、
前記表示対象の広告及び表示頻度によって前記広告を前記モバイルメッセンジャー上に表示することを特徴とする、請求項１２に記載の広告方法。
【請求項１５】
前記表示対象の広告及び表示頻度を決定することは、
前記モバイルメッセンジャー上に表示された広告のうち前記ユーザが選択した特定広告に対して前記ユーザが少なくとも１人の友人と共有するように設定した共有設定値によって前記表示対象の広告を決定することを特徴とする、請求項１４に記載の広告方法。
【請求項１６】
前記モバイルメッセンジャー上に表示された広告のうち特定広告に対して前記ユーザから前記モバイルメッセンジャー上に登録された友人リストから前記少なくとも１人の友人が選択され、
前記選択を受けた友人が参加する対話ウィンドウに前記特定広告を表示する、
ことをさらに含む請求項１２に記載の広告方法。
【請求項１７】
前記ユーザ別に前記モバイルメッセンジャー上に表示された広告の現況及び前記広告から発生した収益の現況を管理し、
前記広告の現況及び収益の現況に対する照会機能及び前記広告表示意志に対する変更機能を前記モバイルメッセンジャー上でロボット形式によって提供する、
ことをさらに含む請求項１２に記載の広告方法。
【請求項１８】
請求項１２から請求項１７のいずれか一項に係る方法を実行するためのプログラムが記録されていることを特徴とするコンピュータ読み取り可能な記録媒体。
【発明の詳細な説明】
【技術分野】
【０００１】
本発明は、ユーザが用いるメッセンジャープラットフォームでユーザの設定により広告を表示して広告収益をユーザに分配する収益分配型広告モデルに関する。
【背景技術】
【０００２】
一般的に、メッセンジャー（ｍｅｓｓｅｎｇｅｒ）は、リアルタイムでメッセージやデータをやり取りできるソフトウェアであって、ユーザが対話相手を登録して、メッセンジャーの画面に出力される対話相手のリストにある相手とメッセージを送受信できるようにするものである。最近では、ＰＣだけでなく移動通信端末のモバイル環境においても、メッセンジャーの使用が普及してきている。
【発明の概要】
【発明が解決しようとする課題】
【０００３】
このような状況において、企業広告主は、自己ブランドと製品のイメージを顧客に強く印象づけるために、モバイル広告に対して高い関心を持っている。その一環として、ＳＭＳ（ショートメッセージサービス）広告のようなモバイル広告を進めているが、従来は広告主が一方的に広告をユーザに配布するため、ユーザが広告の表示有無を直接設定できずにスパム問題などを招き、かえって企業のイメージに傷をつけるという問題があった。
【０００４】
本発明では、ユーザのメッセンジャープラットフォームでユーザの直接的な意志によって広告を表示し、それにともなう広告収益をユーザに分配する収益分配型広告モデルを提案することを課題とする。
【０００５】
本発明の態様の一つは、ユーザが用いるメッセンジャープラットフォームインベントリ（ｍｅｓｓｅｎｇｅｒ  ｐｌａｔｆｏｒｍ  ｉｎｖｅｎｔｏｒｙ）によってモバイル広告を提供する広告システム及びその方法を提供することにある。
【０００６】
また、本発明の態様の一つは、メッセンジャープラットフォームにおける広告の表示有無及び表示対象の広告をユーザが直接選択できる広告システム及びその方法を提供することにある。
【０００７】
また、本発明の態様の一つは、ユーザが選択した広告を、ユーザの関心と類似するグループであるユーザのソーシャルネットワークを介して表示できる広告システム及びその方法を提供することにある。
【０００８】
また、本発明の態様の一つは、メッセンジャープラットフォームインベントリによって発生する広告収益をユーザに分配する広告システム及びその方法を提供することにある。
【課題を解決するための手段】
【０００９】
本発明の一実施形態によれば、モバイルメッセンジャープラットフォームにおける収益分配型広告システムは、ユーザからモバイルメッセンジャーを介した広告表示意志の選択がなされる広告設定インターフェース部と、前記ユーザの広告表示意志によって前記モバイルメッセンジャー上に広告を表示する広告表示制御部と、前記モバイルメッセンジャーを介して表示された広告の収益を前記ユーザに配分する広告収益配分部とを含んでもよい。
【００１０】
また、前記広告設定インターフェース部は、前記ユーザから前記広告を表示する前記モバイルメッセンジャー上の少なくとも１つの広告領域が選択されてもよい。
【００１１】
また、前記広告設定インターフェース部は、前記ユーザから前記広告を表示する広告領域で前記モバイルメッセンジャー上の友人リスト画面、対話リスト画面、友人追加画面、環境設定画面、対話ウィンドウ画面のうち少なくとも１つが選択されてもよい。
【００１２】
また、モバイルメッセンジャープラットフォームにおける収益分配型広告システムは、前記モバイルメッセンジャーを使用するユーザから前記広告表示意志を収集して前記収集された広告表示意志に係る全体の広告在庫を算出した後、前記広告別に表示対象の広告及び表示頻度を決定する広告表示管理部をさらに含んでもよい。
【００１３】
また、前記広告表示管理部は、前記広告に設定された広告実施費用を基準として前記表示対象の広告及び表示頻度を決定してもよい。
【００１４】
また、前記広告表示管理部は、前記モバイルメッセンジャー上に表示された広告のうち前記ユーザが選択した特定広告に対して前記ユーザが少なくとも１人の友人と共有するように設定した共有設定値によって前記表示対象の広告を決定してもよい。
【００１５】
また、前記広告表示制御部は、前記表示対象の広告及び表示頻度によって前記広告を前記モバイルメッセンジャー上に表示してもよい。
【００１６】
また、前記広告表示制御部は、前記モバイルメッセンジャー上に表示された広告のうち前記ユーザが選択した特定広告を少なくとも１人の友人が参加する対話ウィンドウに表示してもよい。
【００１７】
また、前記広告表示制御部は、前記ユーザが前記モバイルメッセンジャー上に表示された広告のうちの特定広告を選択すると、前記特定広告のランディングページ（ｌａｎｄｉｎｇ  ｐａｇｅ）を提供した後に、前記ユーザの要求によって前記特定広告を少なくとも１人の友人が参加する対話ウィンドウに表示してもよい。
【００１８】
また、前記広告設定インターフェース部は、前記特定広告に対して前記ユーザから前記モバイルメッセンジャー上に登録された友人リストから前記少なくとも１人の友人が選択されてもよい。
【００１９】
また、モバイルメッセンジャープラットフォームにおける収益分配型広告システムは、前記ユーザ別に前記モバイルメッセンジャー上に表示された広告の現況及び前記広告から発生した収益の現況を管理するユーザ広告管理部をさらに含んでもよい。
【００２０】
また、前記ユーザ広告管理部は、前記広告の現況及び収益の現況に対する照会機能及び前記広告表示意志に対する変更機能を前記モバイルメッセンジャー上でロボット（ｂｏｔ）形式で提供してもよい。
【００２１】
また、本発明の一実施形態によれば、モバイルメッセンジャープラットフォームにおける収益分配型広告方法は、ユーザからモバイルメッセンジャーを介した広告表示意志の選択がなされるステップと、前記ユーザの広告表示意志によって前記モバイルメッセンジャー上に広告を表示するステップと、前記モバイルメッセンジャーを介して表示された広告の収益を前記ユーザに配分するステップとを含んでもよい。
【００２２】
また、本発明の一実施形態によれば、ユーザからモバイルメッセンジャーを介した広告表示意志の選択がなされた後、前記ユーザの広告表示意志によって前記モバイルメッセンジャー上に広告を表示して、前記モバイルメッセンジャーを介して表示された広告の収益を前記ユーザに配分する方法を実行させる命令語を含むコンピュータ読み取り可能な記録媒体を提供してもよい。
【００２３】
また、本発明の一実施形態によれば、ユーザからモバイルメッセンジャーを介した広告表示意志の選択がなされた後、前記ユーザの広告表示意志によって広告サーバから提供された広告を前記モバイルメッセンジャー上に表示する方法を実行させる命令語を含むコンピュータ読み取り可能な記録媒体を提供してもよい。
【発明の効果】
【００２４】
本発明によれば、ユーザが自分の使用するメッセンジャープラットフォームにおける広告の表示有無及び表示対象の広告を選択して広告を直接表示させるので、ユーザの直接的な参加によって、モバイル広告効果を向上することができる。
【００２５】
また、ユーザが選択した広告を友人とのチャットルームに表示させることによってユーザの関心と類似するグループをターゲッティングして広告パフォーマンスを向上させることができ、ソーシャルネットワークの共有による広告の波及効果を上げることができる。
【００２６】
また、メッセンジャープラットフォームインベントリによって発生する広告収益をユーザに分配する方式のユーザ参加型広告モデルを実現することによって、モバイル広告をより活性化させることができる。
【図面の簡単な説明】
【００２７】
【図１】本発明の一実施形態において、モバイルメッセンジャープラットフォームにおける収益分配型広告システムの内部構成を示すブロック図である。
【図２】本発明の一実施形態において、ユーザがメッセンジャー上の広告表示意志を選択できる経路を説明するための例示画面である。
【図３】本発明の一実施形態において、ユーザがメッセンジャー上の広告表示意志と広告を表示する領域を選択できるインターフェース画面を示すものである。
【図４】本発明の一実施形態において、ユーザの広告表示意志によって広告が表示するメッセンジャー画面を示すものである。
【図５】本発明の一実施形態において、ユーザがメッセンジャー上に表示された広告のうち特定広告を友人と共有するように設定できる経路を説明するための例示画面である。
【図６】本発明の一実施形態において、ユーザが選択した特定広告が友人との対話ウィンドウに表示されるメッセンジャー画面を示すものである。
【図７】本発明の一実施形態において、モバイルメッセンジャープラットフォームにおける収益分配型広告方法を示すフローチャートである。
【発明を実施するための形態】
【００２８】
以下、本発明の実施形態について添付の図面を参照しながら詳細に説明する。
【００２９】
本発明の実施形態によると、ユーザがメッセンジャー上の広告の表示有無及び広告在庫を直接選択して、メッセンジャーの広告表示によって発生する収益をユーザに分配する方式の、ユーザ参加による収益分配型広告モデルを提供することができる。さらに、本発明の実施形態によると、ユーザが用いるメッセンジャー上に広告を表示することによって、ユーザが友人とのチャットルームに表示する広告を直接設定する方式によるソーシャル広告モデルを提供することができる。
【００３０】
本明細書において、「メッセンジャー」は、ノートブック、スマートフォン、タブレットなどのユーザ端末に搭載されるモバイルメッセンジャープラットフォームを意味してもよい。
【００３１】
図１は、本発明の一実施形態において、モバイルメッセンジャープラットフォームにおける収益分配型広告システムの内部構成を示すブロック図である。図１では、ユーザ端末１０１、および広告システム１００を示している。
【００３２】
ユーザ端末１０１は、ノートブック、スマートフォン、タブレットなどメッセンジャーアプリケーション（ｍｅｓｓｅｎｇｅｒ  ａｐｐｌｉｃａｔｉｏｎ）のインストール及び実行が可能なすべての端末装置を意味してもよい。ここで、ユーザ端末１０１は、メッセンジャーアプリケーションの制御下でメッセンジャーの画面構成、データ入力、データ送受信、データ格納などメッセンジャー全般の動作を実行できる。特に、ユーザ端末１０１にインストールされたメッセンジャーは、広告システム１００との相互連動によって広告システム１００で提供する広告を表示する広告パブリッシャ（Ａｄ  Ｐｕｂｌｉｓｈｅｒ）の役割を行なってもよい。
【００３３】
広告システム１００は、広告主の広告登録、広告在庫の決定、パブリッシャ（すなわち、ユーザ端末１０１）への広告の提供、広告の表示に係る課金、およびパブリッシャでの広告収益配分などを行う、広告プラットフォームの役割を行う。ここで、広告システム１００は、メッセンジャーがインストールされたユーザ端末１０１の間にメッセージやデータをリアルタイムで送受信できるメッセンジャーサーバ（図示せず）と連動したり、１つのシステムに結合された形態で実現されたりして、メッセンジャーアプリケーション内の広告（ｉｎ−ａｐｐ  ａｄ）を提供する広告サーバの役割を行ってもよい。
【００３４】
広告システム１００は、広告主から登録された広告を格納及び保持する広告データベース１６０と、広告別統計データ及びユーザ別統計データを格納及び保持する統計データベース１７０とを含むデータベースサーバであって、ユーザが用いるモバイルメッセンジャー上に広告を表示して、これから発生した収益をユーザに分配する収益分配型広告モデルを実現してもよい。
【００３５】
図１に示すように、広告システム１００は、広告設定インターフェース部１１０、広告表示管理部１２０、広告表示制御部１３０、広告収益配分部１４０、およびユーザ広告管理部１５０を含んで構成してもよい。
【００３６】
広告設定インターフェース部１１０は、ユーザ端末１０１にインストールされたメッセンジャー上にユーザとのインターフェースを提供する役割を行う。まず、広告設定インターフェース部１１０は、メッセンジャーを使用するユーザがメッセンジャー上の広告表示意志を選択するためのユーザインターフェース（以下、「設定メニュー」と称する）をサポートしてもよい。ここで、広告設定インターフェース部１１０は、メッセンジャー上の広告表示を許容しないユーザを対象に、メッセンジャー画面の所定位置に設定メニューを表示してもよい。例えば、広告設定インターフェース部１１０は、図２に示すようにメッセンジャーに登録された友人リストを提供する友人リスト画面２１０、友人との対話リストを提供する対話リスト画面２２０、友人追加のための推薦の友人リストを提供する友人追加画面２３０、そしてメッセンジャーと関連する全般の設定機能を提供する環境設定画面２４０などのメッセンジャー画面の下段に設定メニュー２０１を表示してよく、所定のコメント（例えば、「ＡＤを使ってみる？」）を共に表示してもよい。ここで、ユーザがメッセンジャー画面で設定メニュー２０１を選択した場合、広告設定インターフェース部１１０は、ユーザがメッセンジャー上の広告表示を許容する意志があると判断して、ユーザが広告を表示する少なくとも１つの広告領域が選択され得る設定画面（図３の符号３０１）を提供する。例えば、広告設定インターフェース部１１０は、図３に示すように、メッセンジャーを介して提供される広告モデルに対するサービスの説明と、広告表示が可能なメッセンジャー画面リスト（全体、友人リスト画面にのみ、チャットルームにのみ、友人追加画面にのみ、設定画面にのみなど）を設定画面３０１によって提供してもよい。広告設定インターフェース部１１０は、ユーザから広告を表示する広告領域で友人リスト画面、対話リスト画面、友人追加画面、環境設定画面、対話ウィンドウ画面のうち少なくとも１つが選択されれば、これをユーザがメッセンジャー上の広告表示を許容したものと判断する。前記構成によれば、広告システム１００は、広告設定インターフェース部１１０を介してメッセンジャーを使用するすべてのユーザの広告表示意志（ユーザが広告表示を許容した広告領域）の入力を受け、入力された値をユーザ別に格納し、格納したユーザー別の入力値を広告表示トリガー（ｔｒｉｇｇｅｒ）を決定するのに利用してもよい。
【００３７】
広告表示管理部１２０は、広告データベース１６０に格納された広告に対する表示対象の広告及び表示頻度（ｆｒｅｑｕｅｎｃｙ）を決定する。広告表示管理部１２０は、広告設定インターフェース部１１０を介して収集したユーザの広告表示意志に基づき全体の広告在庫を算出した後、広告別に表示対象の広告及び表示頻度を決定してもよい。ここで、広告表示管理部１２０は、ユーザが広告表示を許容した広告領域に対してインベントリ（ｉｎｖｅｎｔｏｒｙ）をカウントする方式で全体の広告在庫を算出することができ、全体の広告在庫内で広告別に設定された広告実施費用（例えば、ＣＰＭ、ＣＰＣなど）を基準として表示対象の広告及び表示頻度を決定してもよい。そして、広告表示管理部１２０は、広告別の表示対象の広告及び表示頻度によりユーザのメッセンジャー上に表示する広告を決定してもよい。ここで、広告表示管理部１２０は、統計データベース１７０に格納された統計情報（広告の表示数、クリック数など）を集計し、所定の数値を達成した広告は、表示対象から除外してもよい。
【００３８】
広告表示制御部１３０は、ユーザ端末１０１でメッセンジャーが実行されたときに、該当ユーザの広告表示意志によってメッセンジャー上に広告を表示してもよい。ここで、広告表示制御部１３０は、ユーザが使用しているメッセンジャーの現在の画面がユーザから広告表示が許された画面である場合、広告別の表示対象の広告及び表示頻度によって決定された広告を該当メッセンジャー画面上に表示してもよい。例えば、広告表示制御部１３０は、図４に示すように、友人リスト画面４１０、対話リスト画面４２０、友人追加画面４３０、そして環境設定画面４４０などのメッセンジャー画面のうち、ユーザが広告表示を許容した画面の下段に広告４０１を表示してもよい。
【００３９】
広告表示制御部１３０は、ユーザがメッセンジャー画面上に表示された広告を選択すれば、当該広告のランディングページ（ｌａｎｄｉｎｇ  ｐａｇｅ）を提供して、当該広告に対する友人との共有を設定するようにサポートしてもよい。例えば、ユーザが図４の友人リスト画面４１０の下段に表示された広告４０１をクリックすれば、図５に示すように当該広告のランディングページ５０１が提供されてもよい。ここで、広告表示制御部１３０は、ランディングページ５０１上に当該広告４０１を友人と共有するように設定するためのメニューを表示してもよい。ここで、ユーザが特定広告のランディングページで前記メニューを選択する場合、広告設定インターフェース部１１０は、広告共有に対するサービスの説明と共に、当該広告を友人と共有するかを選択するためのインターフェース画面５０２を提供してもよい。ここで、広告設定インターフェース部１１０は、ユーザがインターフェース画面５０２を介してメッセンジャー上に登録された友人リストから広告を共有する友人を１人以上選択するように構成されたインターフェース画面を表示してもよい。その後、広告表示制御部１３０は、メッセンジャー上に表示された広告のうちユーザが選択した特定広告を、広告共有のために選択された友人が参加する対話ウィンドウに表示してもよい。例えば、図６に示すように広告表示制御部１３０は、ユーザの広告共有要求によって友人との対話ウィンドウ６１０の下段にユーザが選択した広告６０１を表示してもよい。
【００４０】
広告表示制御部１３０は、ユーザが用いるメッセンジャー上に表示するすべての広告に対して、広告リスト、広告別表示数、広告別クリック数などを収集して広告表示管理部１２０に伝達してもよい。また、広告表示制御部１３０は、ユーザが友人に表示するように設定した広告に対する共有設定値を収集して、広告表示管理部１２０に伝達してもよい。ここで、共有設定値は、ユーザによって選択された広告のＩＤ、広告別に当該広告を選択したユーザのＩＤと共有対象数（すなわち、友人の数）などを含んでもよい。ここで、広告表示管理部１２０は、広告表示制御部１３０から伝達されたユーザが友人に表示するように設定した広告に対する共有設定値を、当該広告の表示対象の広告を決定するのに利用してもよい。また、広告表示管理部１２０は、広告表示制御部１３０から伝達されたデータをユーザ別統計情報及び広告別統計情報を集計するのに利用してもよく、ユーザ別集計データ及び広告別集計データを統計データベース１７０によって格納及び管理してもよい。
【００４１】
広告収益配分部１４０は、メッセンジャーを介して表示された広告から発生した広告収益を、当該メッセンジャーを使用するユーザに配分する。広告収益配分部１４０は、統計データベース１７０に格納された集計データに基づき、広告別事業者収益を算出することは勿論、ユーザ別収益も算出することによって、ユーザ及び事業者に収益を配分してもよい。例えば、ユーザが自身の使用するメッセンジャープラットフォームに広告表示を許容する場合、ユーザはメッセンジャー画面に表示する広告ごとに広告当たり設定されているＣＰＭ（ｃｏｓｔ  ｐｅｒ  ｍｉｌｅ）単価の一部を収益として分配されてもよい。さらに、ユーザが自身のメッセンジャー上に表示された広告のうち特定広告をクリックして当該広告を友人に表示するように設定した場合、ユーザは一次的に友人との対話ウィンドウに表示する広告に設定されているＣＰＭ単価の一部を収益として分配されてもよく、友人が広告をクリックするようになれば、ユーザは当該広告のＣＰＣ（ｃｏｓｔ  ｐｅｒ  ｃｌｉｃｋ）一部を収益として分配されてもよい。換言すれば、ユーザが広告表示を許容すれば、ユーザが用いるメッセンジャー上に広告（例えば、ＣＰＭ＆ＣＰＣ方式）が表示され、ここで、ユーザが広告を多く見るほど多くの収益がユーザに積み立てられる。同様に、ユーザが特定広告に対し友人との共有を設定した場合、友人とのチャットルームに当該広告が表示され、ここで、ユーザと友人が広告を多く見るほど多くの収益がユーザに積み立てられ、また、ユーザが共有設定した広告を友人がクリックするようになれば、ここでも収益がユーザに積み立てられる。但し、不正行為（ａｂｕｓｉｎｇ）を防止するために、一人が同一広告を１回より超えてクリックすれば、超過した回数に対しては積み立てを行わないように設定してもよい。
【００４２】
ユーザ広告管理部１５０は、広告表示を許容したユーザ別に、メッセンジャー上に表示された広告の現況及び広告から発生した収益の現況を管理する役割を行う。ここで、ユーザ広告管理部１５０は、メッセンジャー上に表示する広告に対するユーザの収益を含んだ具体的な現況を照会する機能は勿論、ユーザの広告表示意志を変更できる機能など広告パブリッシャとして必要な全般的な広告管理／運用機能を担当するプラットフォームをボット（ｂｏｔ）形式でメッセンジャー上に提供してもよい。すなわち、ユーザ広告管理部１５０は、ユーザのメッセンジャープラットフォームにおける広告表示数、広告クリック数、それによるユーザの収益、そして表示中の広告リストなどを照会できる機能と、ユーザが広告表示意志を変更できる機能などを提供してもよい。
【００４３】
図７は、本発明の一実施形態において、モバイルメッセンジャープラットフォームにおける収益分配型広告方法を示すフローチャートである。一実施形態に係る収益分配型広告方法は、図１で説明したモバイルメッセンジャープラットフォームにおける収益分配型広告システム１００によってそれぞれのステップが行われ得る。
【００４４】
ステップＳ７１０において、広告システム１００は、ユーザ端末１０１にインストールされたメッセンジャー上でユーザとのインターフェースを提供する。例えば、広告システム１００は、メッセンジャーに登録された友人リストを提供する友人リスト画面、友人との対話リストを提供する対話リスト画面、友人追加のための推薦の友人リストを提供する友人追加画面、そしてメッセンジャーと関連する全般の設定機能を提供する環境設定画面などメッセンジャー画面の下段にユーザの広告表示意志の選択を受けるための設定メニューを表示して提供してもよい。ここで、ユーザが設定メニューを選択する場合、広告システム１００は、ユーザがメッセンジャー上の広告表示を許容する意志があると判断して、ユーザが広告を表示する少なくとも１つの広告領域が選択され得る設定画面を提供する。ここで、広告システム１００は、ユーザから広告を表示する広告領域で友人リスト画面、対話リスト画面、友人追加画面、環境設定画面、対話ウィンドウ画面のうち少なくとも１つが選択されれば、これをユーザがメッセンジャー上での広告表示を許容したものと判断する。そして、広告システム１００は、メッセンジャーを使用するユーザの広告表示意志（ユーザが広告表示を許容した広告領域）の入力を受けて、入力された値をユーザ別に格納及び管理してもよい。
【００４５】
ステップＳ７２０において、広告システム１００は、広告主から登録された広告の表示対象の広告及び表示頻度（ｆｒｅｑｕｅｎｃｙ）を決定する。ここで、広告システム１００は、メッセンジャーを使用するユーザの広告表示意志を収集して全体の広告在庫を算出した後、広告別に表示対象の広告及び表示頻度を決定してもよい。広告システム１００は、ユーザが広告表示を許容した広告領域に対してインベントリをカウントする方式で全体の広告在庫を算出することができ、全体の広告在庫内で広告別に各広告に設定された広告実施費用（例えば、ＣＰＭ、ＣＰＣなど）を基準として表示対象の広告及び表示頻度を決定してもよい。ここで、広告システム１００は、広告別の表示対象の広告及び表示頻度によりユーザのメッセンジャー上に表示する広告を決定してもよい。また、広告システム１００は、メッセンジャー上に表示された広告のうちユーザが選択した特定広告に対しユーザが少なくとも１人の友人と共有するように設定した共有設定値によって当該広告の表示対象の広告を決定してもよい。
【００４６】
ステップＳ７３０において、広告システム１００は、ユーザ端末でメッセンジャーが実行されれば、該当ユーザの広告表示意志によってメッセンジャー上に広告を表示する。すなわち、広告システム１００は、ユーザが使用しているメッセンジャーの現在の画面がユーザから広告表示が許された画面である場合、広告別の表示対象の広告及び表示頻度によって決定された広告を該当メッセンジャー画面上に表示する。例えば、広告システム１００は、メッセンジャー上の友人リスト画面、対話リスト画面、友人追加画面、そして環境設定画面のうちユーザが広告表示を許容した画面の下段に広告を表示してもよい。さらに、広告システム１００は、メッセンジャー上に表示された広告のうちユーザが選択した特定広告を少なくとも１人の友人が参加する対話ウィンドウに表示してもよい。より詳しくは、広告システム１００は、ユーザがメッセンジャー画面上に表示された広告を選択すれば、当該広告のランディングページ（ｌａｎｄｉｎｇ  ｐａｇｅ）を提供した後、当該広告に対する友人との共有を設定できる環境をサポートしてもよい。ここで、広告システム１００は、ユーザからメッセンジャー上に登録された友人リストから広告を共有する友人を１人以上選択されたときに、ユーザによって選択された友人が参加するチャットルームの下段に、ユーザが選択した広告を表示してもよい。そして、広告システム１００は、ユーザが用いるメッセンジャー上に表示するすべての広告について、広告リスト、広告別表示数、広告別クリック数などを収集して、ユーザ別統計情報及び広告別統計情報を集計するのに利用してもよい。また、広告システム１００は、ユーザが友人に表示するように設定した広告に対する共有設定値を収集して、当該広告の表示対象の広告を決定するのに利用してもよい。
【００４７】
ステップＳ７４０において、広告システム１００は、メッセンジャーを介して表示された広告から発生した広告収益を、当該メッセンジャーを使用するユーザに配分する。広告システム１００は、広告別集計データ及びユーザ別集計データをに基づき、広告別事業者収益を算出することは勿論、ユーザ別収益を算出して、ユーザ及び事業者に収益を配分してもよい。ユーザが広告表示を許容した場合、ユーザが用いるメッセンジャー上に広告（例えば、ＣＰＭ＆ＣＰＣ方式）が多く表示されるほど、多くの収益がユーザに配分される。さらに、ユーザが特定広告に対し友人との共有を設定した場合、友人とのチャットルームに当該広告が多く表示されるほど、多くの収益がユーザに配分される。ユーザが共有設定した広告を友人がクリックするようになれば、ここでも収益がユーザに配分されてもよい。
【００４８】
ステップＳ７５０において、広告システム１００は、広告表示を許容したユーザ別に、メッセンジャー上に表示された広告の現況及び広告から発生した収益の現況を管理する。ここで、広告システム１００は、メッセンジャー上に表示する広告に対するユーザの収益を含んだ具体的な現況を照会する機能は勿論、ユーザの広告表示意志を変更できる機能など広告パブリッシャとして必要な全般的な広告管理／運用機能を担当するプラットフォームをロボット（ｂｏｔ）形式でメッセンジャー上に提供してもよい。すなわち、広告システム１００は、ユーザのメッセンジャープラットフォームにおける広告表示数、広告クリック数、それによるユーザの収益、そして表示中の広告リストなどを照会できる機能と、ユーザが広告表示意志を変更できる機能などを提供してもよい。
【００４９】
このように、本発明の実施形態によれば、ユーザが自分の使用するメッセンジャープラットフォームにおける広告の表示意志を直接入力して広告を表示させることによって、ユーザの直接的な参加によるモバイル広告効果を向上することができる。さらに、本発明の実施形態によれば、ユーザが選択した広告を友人とのチャットルームに表示させることによって、ユーザの関心と類似するグループをターゲッティングして広告パフォーマンスを向上させることができ、ソーシャルネットワークの共有による広告の波及効果を上げることができる。そして、本発明の実施形態によれば、メッセンジャープラットフォームインベントリによって発生する広告収益を、ユーザに分配する方式のユーザ参加型広告モデルを実現することによって、モバイル広告をより活性化させることができる。
【００５０】
本発明の実施形態に係る方法は、多様なコンピュータシステムによって行うことができるプログラム命令形態で実現され、コンピュータ読み取り可能な記録媒体に記録してもよい。広告を提供する広告プラットフォームの一面において、前記記録媒体にはユーザからモバイルメッセンジャーを介した広告表示意志の選択がなされるステップと、前記ユーザの広告表示意志によって前記モバイルメッセンジャー上に広告を表示するステップと、前記モバイルメッセンジャーを介して表示された広告の収益を前記ユーザに配分するステップに係る動作を行う命令語を含むプログラムを保存してもよい。広告を受信するモバイルメッセンジャープラットフォームの一面において、前記記録媒体にはユーザからモバイルメッセンジャーを介した広告表示意志の選択がなされるステップと、前記ユーザの広告表示意志によって広告サーバから提供された広告を前記モバイルメッセンジャー上に表示するステップに係る動作を行うようにする命令語を含むプログラムを保存してもよい。前記コンピュータ読み取り可能な記録媒体は、プログラム命令、データファイル、データ構造などを単独または組み合わせて含んでもよい。前記記録媒体に記録されるプログラム命令は、本発明のために特別に設計して構成されたものであっても、コンピュータソフトウェアについての当業者に公示されて使用可能になったものであってもよい。また、上述したファイルシステムは、コンピュータ読み取り可能な記録媒体に記録されてもよい。
【００５１】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００５２】
したがって、本発明の範囲は、開示された実施形態に限定されて定められるものではなく、特許請求の範囲及び特許請求の範囲と均等なものなどによって定められるものである。
【符号の説明】
【００５３】
１１０：広告設定インターフェース部
１２０：広告表示管理部
１３０：広告表示制御部
１４０：広告収益配分部
１５０：ユーザ広告管理部
【図１】
2014035771.tif 000003
【図２】
2014035771.tif 000004
【図３】
2014035771.tif 000005
【図４】
2014035771.tif 000006
【図５】
2014035771.tif 000007
【図６】
2014035771.tif 000008
【図７】
2014035771.tif 000009